(57)【要約】【課題】緩衝体の係止凹部に嵌入される折曲片を指で摘むことなく該折曲片の折曲げ状態を維持することができ、移動止板の取付作業性を向上することができる緩衝装置及びこれを備えるテレビ装置を提供する。【解決手段】段ボール箱２内に二つの端緩衝体４，５とともに収容され、その上面に係止凹部６１を有する中央緩衝体６の段ボール箱２に対する移動を止める移動止板１を、矩形をなす段ボール紙の長手方向一端部に、段ボール箱２に対する移動が止められる被止部１１を設け、他端部に、弾性復元を可能に折曲げられ、係止凹部６１に嵌入される折曲片１３、及び該折曲片１３の弾性復元を規制する規制凸部１４を設けた。【選択図】図１
2008184205.tif 000002
【特許請求の範囲】
【請求項１】
箱体内に収容され、係止凹部を有する緩衝体の前記箱体に対する移動を止める移動止板を備える緩衝装置において、前記移動止板は略矩形をなし、前記箱体に対する移動が止められる被止部を一端部に有し、他端部に、弾性復元を可能に折曲げられ、前記係止凹部に嵌入される折曲片、及び該折曲片の弾性復元を規制する規制凸部を有することを特徴とする緩衝装置。
【請求項２】
前記他端部は、前記折曲片に対応する位置で分断され、一方の分断端を前記規制凸部としてあるスリットを有する請求項１記載の緩衝装置。
【請求項３】
前記折曲片は前記他端部の端末と前記スリットとの間で該スリットの途中から略Ｖ字形
に折曲げられることにより設けてある請求項２記載の緩衝装置。
【請求項４】
略直方体をなす段ボール箱と、該段ボール箱内に収容されている薄型テレビと、該薄型テレビの上部及び前記段ボール箱の上部内面との間に収容される請求項１乃至３のいずれか一つに記載の緩衝装置とを備えることを特徴とするテレビ装置。
【発明の詳細な説明】
【技術分野】
【０００１】
本発明は段ボール箱等の箱体に収容して包装される電気機器などの被包装物に外部から加わる力を緩衝するための緩衝装置、及びこれを備えるテレビ装置に関する。
【背景技術】
【０００２】
薄型テレビ等の電気機器を段ボール箱に収容して包装する場合、電気機器の下部外面と段ボール箱の下部内面との間、及び電気機器の上部外面と段ボール箱の上部内面との間に複数の緩衝体を配置し、外部から段ボール箱を経て電気機器に加わる力を緩衝するように構成されている。
【０００３】
図６は従来のテレビ装置、及びこれに用いられる緩衝装置の構成を示す斜視図である。比較的大形の薄型テレビを備えるテレビ装置にあっては、薄型液晶テレビ１００の上両端部及び上中央部と直方体をなす段ボール箱１０１の上部内面との間に二つの端緩衝体１０２，１０３、中央緩衝体１０４が配置されている。二つの端緩衝体１０２，１０３は薄型液晶テレビ１００の角部が嵌入される断面Ｌ字形の凹所が内側に設けられているため、段ボール箱１０１内で横方向への移動は規制される。また、中央緩衝体１０４は薄型液晶テレビ１００の横方向中央部が嵌入される断面Ｕ字形の凹所が設けられているに過ぎないため、段ボール箱１０１内で横方向へ移動し、位置が安定しない。因って、中央緩衝体１０４の上面に係止凹部１０５を設ける一方、段ボール箱１０１の内形に対応する大きさの段ボール紙の中央部に、前記係止凹部１０５に嵌入される舌片１０６を切起し可能に設けてなる移動止板１０７を端緩衝体１０２，１０３及び中央緩衝体１０４の上面に載置することにより、移動止板１０７の位置を決め、中央緩衝体１０４が段ボール箱１０１内で移動するのを止めるように構成されている。
【０００４】
また、電気洗濯機の緩衝装置として、電気洗濯機の上四隅部に嵌合される四つの緩衝体に係止凹部を設ける一方、矩形をなし、長手方向中央部が平面視で＜形に折曲げられている段ボール紙の両端部に、二つの緩衝体の係止凹部に嵌入される舌片１０６を有する連結板を設けることにより、二つの緩衝体同士を二つの連結板が連結するように構成されたものも知られている（例えば、特許文献１参照。）。
【特許文献１】特開昭６１−１７８８８２号公報
【発明の開示】
【発明が解決しようとする課題】
【０００５】
ところが、図６に示された緩衝装置及びテレビ装置にあっては、段ボール箱１０１の内形に対応する大きさの移動止板１０７を必要とするため、移動止板１０７の材料費が高くなり、緩衝装置のコストが増加することになる。また、移動止板１０７の舌片１０６は切起しされているだけであるため、この舌片１０６の切起し位置が不安定であり、移動止板１０７を取付ける際に舌片１０６を係止凹部１０５に嵌入し難く、移動止板１０７の取付作業性が悪いという問題がある。また、移動止板１０７の材料費を低減すべく移動止板１０７を細幅に形成した場合、移動止板１０７に反りが発生し易くなり、段ボール箱１０１の上側フラップが閉じられるまで段ボール箱１０１に対する移動止板１０７の位置を維持することが困難になるし、また、舌片１０６が係止凹部１０５から抜出すことになり、段ボール箱１０１による薄型テレビの包装作業能率が低下する。
【０００６】
また、特許文献１に記載されている緩衝装置にあっては、連結板の両端の舌片が折曲げにより形成されているに過ぎないため、舌片が各緩衝体の係止凹部に未嵌入の際、該舌片が弾性復元し、この弾性復元の状態では舌片を係止凹部へ嵌入させ難くなる。従って、両端の舌片を各緩衝体の係止凹部へ嵌入する際、両端の舌片を指で摘み、各舌片の弾性復元を防いだ状態で各舌片を各係止凹部へ嵌入する必要があり、連結板の取付け作業が行い難い。
【０００７】
本発明は斯かる事情に鑑みてなされたものであり、主たる目的は箱体に対する移動が止められる被止部を一端部に設け、他端部に、弾性復元を可能に折曲げられ、緩衝体の係止凹部に嵌入される折曲片、及び該折曲片の弾性復元を規制する規制凸部を設けることにより、折曲片を指で摘むことなく該折曲片の折曲げ状態を維持することができ、移動止板の取付作業性を向上することができる緩衝装置を提供することにある。
【０００８】
また、他の目的は折曲片に対応する位置で分断され、一方の分断端を前記規制凸部としてあるスリットを他端部に設けることにより、規制凸部用の加工工程が必要でなく、折曲片の折曲げ状態を維持することができる割にコストを低減できる緩衝装置を提供することにある。
【０００９】
また、他の目的は折曲片を、前記他端部の端末と前記スリットとの間で略Ｖ字形に折曲げることを可能とすることにより、折曲片の剛性を高めることができる緩衝装置を提供することにある。
【００１０】
また、他の目的は略直方体をなす段ボール箱内に薄型テレビと上述の緩衝装置とを収容することにより、移動止板の取付けを容易にできることと相俟って段ボール箱による薄型テレビの包装作業能率を向上できるテレビ装置を提供することにある。
【課題を解決するための手段】
【００１１】
本発明に係る緩衝装置は、箱体内に収容され、係止凹部を有する緩衝体の前記箱体に対する移動を止める移動止板を備える緩衝装置において、前記移動止板は略矩形をなし、前記箱体に対する移動が止められる被止部を一端部に有し、他端部に、弾性復元を可能に折曲げられ、前記係止凹部に嵌入される折曲片、及び該折曲片の弾性復元を規制する規制凸部を有することを特徴とする。
【００１２】
この発明にあっては、係止凹部に嵌入される折曲片の弾性復元を規制凸部により規制することができ、折曲片を指で摘むことなく該折曲片の折曲げ状態を維持することができる。また、移動止板の箱体に対する移動を被止部により止めることができるため、移動止板により緩衝体の位置を決めることができる。従って、折曲片を有する移動止板の取付作業性を向上でき、箱体に収容して包装される被包装物の販売コストを低減し得る。
【００１３】
また、本発明に係る緩衝装置は、前記他端部は、前記折曲片に対応する位置で分断され、一方の分断端を前記規制凸部としてあるスリットを有することを特徴とする。
【００１４】
この発明にあっては、折曲片を形成するためのスリットにより規制凸部を設けることができるため、規制凸部用の加工工程が必要でなく、折曲片の折曲げ状態を維持することができる割に緩衝装置のコストを低減できる。
【００１５】
また、本発明に係る緩衝装置は、前記折曲片は前記他端部の端末と前記スリットとの間で該スリットの途中から略Ｖ字形に折曲げられることにより設けてあることを特徴とする。
【００１６】
この発明にあっては、板体の他端末とスリットとの間の部片を折曲げることにより略Ｖ字形の折曲片を形成することができるため、折曲片の剛性を高めることができ、しかも、折曲片に設けられる他方の分断端を、折曲片を形成する際に規制凸部に容易に係止することができる。
【００１７】
また、本発明に係るテレビ装置は、略直方体をなす段ボール箱と、該段ボール箱内に収容されている薄型テレビと、該薄型テレビの上部及び前記段ボール箱の上部内面との間に収容される上述した発明の緩衝装置とを備えることを特徴とする。
【００１８】
この発明にあっては、係止凹部に嵌入される折曲片の弾性復元を規制凸部により規制することができ、折曲片を指で摘むことなく該折曲片の折曲げ状態を維持することができるため、折曲片を有する移動止板の取付作業性を向上できる。しかも、移動止板は段ボール箱に対する移動を被止部によって止めることができるため、緩衝体を適正位置に容易に位置決めすることができる。従って、移動止板を容易に取付けることができることと相俟って段ボール箱による薄型テレビの包装作業能率を向上でき、テレビ装置のコストを低減することができる。
【発明の効果】
【００１９】
本発明によれば、緩衝体の係止凹部に嵌入される折曲片の弾性復元を規制凸部により規制することができ、折曲片を指で摘むことなく該折曲片の折曲げ状態を維持することができるため、係止凹部に嵌入される折曲片を有するに拘らず緩衝装置の取付作業能率を向上でき、箱体に収容して包装される被包装物の販売コストを低減し得る。
【００２０】
また、本発明によれば、折曲片を形成するためのスリットにより規制凸部を設けることができるため、規制凸部用の加工工程が必要でなく、折曲片の折曲げ状態を維持することができる割に緩衝装置のコストを低減できる。
【００２１】
また、本発明によれば、折曲片は略Ｖ字形に形成されているため、折曲片の剛性を高めることができ、しかも、折曲片に設けられる他方の分断端を、折曲片を形成する際に規制凸部に容易に係止することができる。
【００２２】
また、本発明によれば、係止凹部に嵌入される折曲片を有する移動止板を容易に取付けることができ、しかも、緩衝体を適正位置に容易に位置決めすることができるため、段ボール箱による薄型テレビの包装作業能率を向上でき、テレビ装置のコストを低減することができる。
【発明を実施するための最良の形態】
【００２３】
以下本発明をその実施の形態を示す図面に基づいて詳述する。図１は本発明に係るテレビ装置、及びこれに用いられる緩衝装置の構成を示す斜視図、図２は薄型液晶テレビと、緩衝体及び移動止板との関連構成を示す斜視図、図３は緩衝装置の移動止板の構成を示す斜視図、図４は移動止板の構成を示す展開図、図５は移動止板の折曲片の折曲げ過程を示す説明図である。
【００２４】
図１に示したテレビ装置は、上部に開閉が可能な四つのフラップ２ａ〜２ｄを有し、直方体をなす段ボール箱２と、該段ボール箱２内に収容される薄型液晶テレビ３と、該薄型液晶テレビ３の上両端部と段ボール箱２の上部内面との間に配置される二つの端緩衝体４，５と、薄型液晶テレビ３の上中央部と段ボール箱２の上部内面との間に配置され、上面に係止凹部６１を有する中央緩衝体６と、段ボール箱２に対する中央緩衝体６の移動を止める移動止板１とを備える。尚、段ボール箱２が箱体を構成している。
【００２５】
移動止板１は、段ボール紙を略矩形（短冊形）に切断してなり、長手方向一端部に、端緩衝体４の溝４１に嵌入され、端緩衝体４及び段ボール箱２の間で段ボール箱２に対する移動が止められる被止部１１を折曲げにより設けてあり、長手方向他端部に、端末１ａと離隔した位置で前記長手方向と交差する方向（幅方向）へ分断されたスリット１２と、前記端末１ａ及びスリット１２との間で該スリット１２の途中から略Ｖ字形に折曲げられる折曲片１３と、スリット１２により分断された二つの分断端１ｂ，１ｃの一方で折曲片１３側へ凸となり、折曲片１３の弾性復元を規制する規制凸部１４とを設けてある。尚、移動止板１は図４に示すように長手方向の一端部に薄肉の第１の折曲部１ｄを有し、長手方向の他端部にスリット１２と、薄肉の第２及び第３の折曲部１ｅ，１ｆとを有する略矩形（短冊形）の段ボール紙からなり、この段ボール紙の一端部を第１の折曲部１ｄで折曲げることにより被止部１１が形成され、他端部を第２及び第３の折曲部１ｅ，１ｆで折曲げることにより略Ｖ字形をなす折曲片１３が形成され、この折曲片１３のスリット１２による分断端１ｃを規制凸部１４で係止することにより折曲片１３の折曲状態が維持される。
【００２６】
スリット１２は長手方向の途中が端末１ａ側（折曲片１３側）へ略Ｖ字形の凸となるように分断されており、一方の分断端１ｂの凸部を規制凸部１４としてあり、他方の分断端１ｃ、換言すると折曲片１３のスリット１２側の分断端１ｃを規制凸部１４で係止することができるようになしてある。
【００２７】
端緩衝体４，５及び中央緩衝体６は発泡スチロール材を成形してなり、端緩衝体４，５の下部には薄型液晶テレビ３の角部が嵌入される断面Ｌ字形の凹所４ａ，５ａを設けてあり、また、一方の端緩衝体４の上面及び一側面には移動止板１の厚さに対応する深さの溝４１が設けられている。中央緩衝体６の下部には薄型液晶テレビ３の横方向中央部が嵌入される断面Ｕ字形の凹所６ａを設けてあり、上面には移動止板１の厚さに対応する深さの溝６２及び該溝６２内で窪む長孔状の前記係止凹部６１が設けられている。
【００２８】
以上のように構成されたテレビ装置は、段ボール箱２内に上方から収容される薄型液晶テレビ３の上両端部と段ボール箱２の上部内面との間に二つの端緩衝体４，５が配置され、薄型液晶テレビ３の上中央部と段ボール箱２の上部内面との間に中央緩衝体６が配置された後、移動止板１が取付けられる。二つの端緩衝体４，５は薄型液晶テレビ３の角部と段ボール箱２の上部内面との間で位置保持され、段ボール箱２に対する移動が阻止される。
【００２９】
移動止板１の取付けは、端緩衝体４の一側面の溝４１、具体的には端緩衝体４１及び段ボール箱２間の溝４１に被止部１１を嵌入し、中央緩衝体６の係止凹部６１に折曲片１３を嵌入することにより行われる。この際、段ボール箱２に対する移動止板１の移動を被止部１１により止めることができ、段ボール箱２に対する中央緩衝体６の移動を折曲片１３により規制することができ、中央緩衝体６の段ボール箱２に対する位置を決めることができる。また、取付けられた移動止板１は、端緩衝体４の溝４１及び中央緩衝体６の溝６２に嵌入され、端緩衝体４及び中央緩衝体６の上面に対する外部への突出量が少なく、移動止板１の収容空間を段ボール箱２の上部に設ける必要がないため、段ボール箱２の高さを低減でき、段ボール箱２を小形にできる。
【００３０】
尚、以上説明した実施の形態では、移動止板１の一端部に被止部１１を設け、端緩衝体４及び段ボール箱２間の溝４１で被止部１１を係止するように構成したが、その他、例えば端緩衝体４に係止凹部６１と同様の係止凹部を設け、移動止板１の両端部に折曲片１３，１３及び規制凸部１４，１４を設け、一端部の折曲片１３が端緩衝体４の係止凹部６１に嵌入されることにより移動止板１の段ボール箱２に対する移動を止めるように構成してもよく、移動止板１の一端部の移動を止める手段は特に制限されない。
【００３１】
また、本発明に係るテレビ装置は薄型液晶テレビを備える構成である他、薄型プラズマテレビを備える構成であってもよい。
【図面の簡単な説明】
【００３２】
【図１】本発明に係るテレビ装置、及びこれに用いられる緩衝装置の構成を示す斜視図である。
【図２】本発明に係る薄型液晶テレビと、緩衝体及び移動止板との関連構成を示す斜視図である。
【図３】本発明に係る緩衝装置の移動止板の構成を示す斜視図である。
【図４】本発明に係る緩衝装置の移動止板の構成を示す展開図である。
【図５】本発明に係る緩衝装置の移動止板の折曲片の折曲げ過程を示す説明図である。
【図６】従来のテレビ装置、及びこれに用いられる緩衝装置の構成を示す斜視図である。
【符号の説明】
【００３３】
１    移動止板
１ａ、１ｃ  端末
１ｂ  分断端
１１  被止部
１２  スリット
１３  折曲片
１４  規制凸部
２    段ボール箱（箱体）
６    中央緩衝体（緩衝体）
６１  係止凹部
【図１】
2008184205.tif 000003
【図２】
2008184205.tif 000004
【図３】
2008184205.tif 000005
【図４】
2008184205.tif 000006
【図５】
2008184205.tif 000007
【図６】
2008184205.tif 000008